【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
マルチメディアコンテンツをダウンロードするための方法であって、前記マルチメディアコンテンツは少なくとも２つのバージョンで存在し、前記バージョンの各々は様々な要求送信ビット・レートに対応し、前記バージョンの各々は決定された期間に対応する複数のチャンクに時間的に分割され、チャンクは時間位置ｉを表す情報項目とバージョンを表す情報項目とにより特定され、前記方法は、前記時間位置ｉ’を表す前記情報項目により特定される前記チャンクの期間に対応する少なくとも１つの時間間隔ｔｉ’に対して、コンテンツ受信機において実行される次のステップ、すなわち、
ａ）時間位置ｉを表す情報項目とバージョンを表す情報項目とにより特定される少なくとも１つのチャンクを受信するための要求を送信するステップであって、前記時間間隔ｔｉ’の終了前にダウンロードされるチャンクの時間位置ｉを表す前記情報項目は、前記マルチメディアコンテンツの合計ダウンロード期間が前記マルチメディアコンテンツの最大ダウンロード期間未満であるように決定され、前記バージョンを表す前記情報項目は、決定された時間位置ｉを表す前記情報項目とバージョンを表す前記情報項目とにより特定されるチャンクが、時間間隔ｔｉ’の終了前にダウンロードされるように、利用可能な送信ビット・レートにしたがって決定される、ステップと、
ｂ）前記特定された前記チャンクを受信するステップと、
を含む、前記方法。
【請求項２】
前記ステップａ）とｂ）は、時間間隔ｔｉ’の終了前にダウンロードされるチャンクの時間位置ｉを表す複数の情報項目に対して繰り返される、請求項１に記載の方法。
【請求項３】
第１の閾値未満の時間間隔ｔｉ’に対応する初期化段階に対して、決定されたバージョンを表す前記情報項目は、利用可能な送信ビット・レートに関わらず最小の要求送信ビット・レートに対応する、請求項１および２のうちの１項に記載の方法。
【請求項４】
決定されたバージョンを表す前記情報項目は、前記時間間隔ｔｉ’の終了前にダウンロードされる時間位置ｉを表す前記情報項目によって特定される前記複数のチャンクがダウンロードされない場合、最小の要求送信ビット・レートに対応する、請求項１から３のうちの１項に記載の方法。
【請求項５】
前記方法はさらに、前記時間間隔ｔｉ’の前にダウンロードされる時間位置ｉを表す情報項目によって特定される前記複数のチャンクがダウンロードされない場合、次のステップ、すなわち、
ｃ）決定された次の時間位置ｉ＋１を表す情報項目と、決定されたバージョンを表す情報項目とにより特定されるチャンクを受信するための要求を送信するステップであって、バージョンを表す前記情報項目は、前記次の時間位置ｉ＋１を表す前記情報項目により特定される前記チャンクに対して、時間位置ｉ＋１の前記情報項目と、決定されたバージョンを表す前記情報項目とにより特定される前記チャンクが、前記時間間隔ｔｉ’＋１の終了前にダウンロードされるように、利用可能な送信ビット・レートに従って決定される、ステップと、
ｄ）前記特定された前記チャンクを受信するステップと、
を含む、請求項２から４のうちの１項に記載の方法。
【請求項６】
前記ステップｃ）からｄ）までは、前記時間間隔ｔｉ’の終了まで、繰り返される、請求項５に記載の方法。
【請求項７】
前記ステップａ）からｂ）までは、コンテンツの１組のチャンクがダウンロードされるように、複数の時間間隔ｔｉ’に対して繰り返される、請求項１から６のうちの１項に記載の方法。
【請求項８】
前記方法は、前記時間間隔ｔｉ’＋１に対する利用可能な送信ビット・レートを、前記時間間隔ｔｉ’に対する送信ビット・レートの少なくとも１つの測定値から推定するステップを含む、請求項５に記載の方法。
【請求項９】
前記時間間隔ｔｉ’＋１に対する利用可能な送信ビット・レートを推定するステップは、前記時間間隔ｔｉ‘に対する送信ビット・レートの測定値と等しい一定値を前記利用可能な送信ビット・レートに割り当てるステップを含む、請求項８に記載の方法。
【請求項１０】
前記利用可能な送信ビット・レートを推定するステップは、前記時間間隔ｔｉ’＋１に対する利用可能な送信ビット・レートに対して、先行する時間間隔ｔｉ’とｔｉ’−１とに対する送信ビット・レートの２つの測定値の線形関数として、値を割り当てるステップを含む、請求項８に記載の方法。
【請求項１１】
前記時間間隔ｔｉ’が終了する前にダウンロードされるチャンクの時間位置ｉを表す情報項目を決定するためのステップａ）は、総ダウンロード期間に対してガード・インターバルを追加するステップを含む、請求項１から１０のうち１項に記載の方法。
【請求項１２】
前記方法は、コンテンツのバージョンを表す情報項目を含み、かつ各要求送信ビット・レートを記述する、少なくとも１つの記述ファイルをダウンロードするステップを含む、請求項１から１１のうちの１項に記載の方法。
【請求項１３】
マルチメディアコンテンツをダウンロードするための受信装置であって、前記マルチメディアコンテンツは、少なくとも２つのバージョンで存在し、前記バージョンの各々は様々な要求送信ビット・レートに対応し、前記バージョンの各々は、同一の期間に対応する複数のチャンクに時間的に分割され、あるチャンクは、時間位置ｉを表す情報項目とバージョンを表す情報項目とにより特定され、前記受信装置は、前記時間位置ｉ’を表す前記情報項目により特定される前記チャンクの期間に対応する少なくとも１つの時間間隔ｔｉ’に対して、
ａ）時間位置ｉを表す情報項目とバージョンを表す情報項目とにより特定される少なくとも１つチャンクを受信するための要求を送信する手段であって、前記時間間隔ｔｉ’の終了前にダウンロードされるチャンクの時間位置ｉを表す前記情報項目は、前記マルチメディアコンテンツの合計ダウンロード期間が前記マルチメディアコンテンツの最大ダウンロード期間未満であるように決定され、バージョンを表す前記情報項目は、決定された時間位置ｉを表す情報項目と前記バージョンを表す情報項目とにより特定されるチャンクが、前記時間間隔ｔｉ’の終了前にダウンロードされるように、利用可能な送信ビット・レートにしたがって決定される、手段と、
ｂ）特定された前記チャンクを受信する手段と、
を備える、前記受信装置。
【手続補正２】
【補正対象書類名】明細書
【補正対象項目名】００６０
【補正方法】変更
【補正の内容】
【００６０】
本発明は、１例にすぎないコンテンツを取得するための装置、上述のコンテンツを取得するためのコンテンツ受信機と方法の実施形態には限定されず、当業者が添付の特許請求の範囲の枠組みにおいて想到する全ての変形を包含する。
（付記１）
マルチメディアコンテンツをダウンロードするための方法であって、前記マルチメディアコンテンツは少なくとも２つのバージョン（Ｖｊ）に存在し、前記バージョンの各々は様々な要求送信ビット・レート（ＢＲ）に対応し、前記バージョンの各々は決定された期間に対応するチャンクに時間的に分割され、チャンクは時間位置ｉ表す情報項目とバージョンｊを表す情報項目とにより特定され、前記方法は、前記時間位置ｉ’を表す前記情報項目により特定される前記チャンクの期間に対応する少なくとも１つ時間間隔ｔｉ’に対して、コンテンツ受信機において実行される次のステップ、すなわち、
ａ）時間位置ｉを表す情報項目とバージョンｊを表す情報項目とにより特定される少なくとも１つチャンクを受信するための要求を送信するステップであって、前記時間間隔ｔｉ’の終了前にダウンロードされるチャンクの時間位置ｉを表す前記情報項目は、前記コンテンツの合計ダウンロード期間が前記コンテンツの最大ダウンロード期間未満であるように決定され、前記バージョンｊを表す前記情報項目は、決定された時間位置ｉを表す前記情報項目とバージョンｊを表す前記情報項目とにより特定されるチャンクが、時間間隔ｔｉ’の終了前にダウンロードされるように決定される、ステップと、
ｂ）前記特定された前記チャンクを受信するステップと、
を含む、前記方法。
（付記２）
前記ステップａ）とｂ）は、時間間隔ｔｉ’の終了前にダウンロードされるチャンクの時間位置ｉを表す複数の情報項目に対して繰り返される、付記１に記載の方法。
（付記３）
第１の閾値未満の時間間隔ｔｉ’に対応する初期化段階に対して、決定されたバージョンｊを表す前記情報項目は、利用可能な送信ビット・レートに関わらず最小の要求送信ビット・レートに対応する、付記１および２のうちの１項に記載の方法。
（付記４）
決定されたバージョンｊを表す前記情報項目は、前記時間間隔ｔｉ’の終了前にダウンロードされる時間位置ｉを表す前記情報項目によって特定される前記複数のチャンクがダウンロードされない場合、前記最小の要求送信ビット・レートに対応する、付記１ないし３のうちの１項に記載の方法。
（付記５）
前記方法はさらに、前記時間間隔ｔｉ’の前にダウンロードされる時間位置ｉを表す情報項目によって特定される前記複数のチャンクがダウンロードされない場合、次のステップ、すなわち、
ｃ）決定された次の時間位置ｉ＋１を表す情報項目と、決定されたバージョンｊを表す情報項目とにより特定されるチャンクを受信するための要求を送信するステップであって、バージョンｊを表す前記情報項目は、前記次の時間位置ｉ＋１を表す前記情報項目により特定される前記チャンクに対して、時間位置ｉ＋１の前記情報項目と、決定されたバージョンｊを表す前記情報項目とにより特定される前記チャンクが、前記時間間隔ｔｉ’＋１の終了前にダウンロードされるように、利用可能な送信ビット・レートに従って決定される、ステップと、
ｄ）前記特定された前記チャンクを受信するステップと、
を含む、付記２乃至４のうちの１項に記載の方法。
（付記６）
前記ステップｃ）からｄ）までは、前記時間間隔ｔｉ’の終了まで、繰り返される、付記５に記載の方法。
（付記７）
前記ステップａ）からｂ）までは、コンテンツの１組のチャンクがダウンロードされるように、複数の時間間隔ｔｉ’に対して繰り返される、付記１乃至６のうちの１項に記載の方法。
（付記８）
前記方法は、前記時間間隔ｔｉ’＋１に対する利用可能な送信ビット・レートを、前記時間間隔ｔｉ’に対する送信ビット・レートの少なくとも１つの測定値から推定するステップを含む、付記５に記載の方法。
（付記９）
前記時間間隔ｔｉ’＋１に対する利用可能な送信ビット・レートを推定するステップは、前記時間間隔ｔｉ‘に対する送信ビット・レートの測定値と等しい一定値を前記利用可能な送信ビット・レートに割り当てるステップを含む、付記８に記載の方法。
（付記１０）
前記利用可能な送信ビット・レートを推定するステップは、前記時間間隔ｔｉ’＋１に対する利用可能な送信ビット・レートに対して、先行する時間間隔ｔｉ’とｔｉ’−１とに対する送信ビット・レートの２つの測定値の線形関数として、値を割り当てるステップを含む、付記８に記載の方法。
（付記１１）
前記時間間隔ｔｉ’が終了する前にダウンロードされるチャンクの時間位置ｉを表す情報項目を決定するためのステップａ）は、総ダウンロード期間に対してガード・インターバルを追加するステップを含む、付記１乃至１０のうち１項に記載の方法。
（付記１２）
前記方法は、コンテンツのバージョンを表す情報項目を含み、かつ各要求送信ビット・レートを記述する、少なくとも１つの記述ファイルをダウンロードするステップを含む、付記１乃至１１のうちの１項に記載の方法。
（付記１３）
マルチメディアコンテンツ（Ｄ）をダウンロードするための受信装置であって、前記マルチメディアコンテンツは、少なくとも２つのバージョン（Ｖｊ）で存在し、前記バージョンの各々は様々な要求送信ビット・レート（ＢＲ）に対応し、前記バージョンの各々は、同一の期間に対応するチャンクに時間的に分割され、あるチャンクは、時間位置ｉを表す情報項目とバージョンｊを表す情報項目とにより特定され、前記装置は、前記時間位置ｉ’を表す前記情報項目により特定される前記チャンクの期間に対応する少なくとも１つの時間間隔ｔｉ’に対して、
ａ）時間位置ｉを表す情報項目とバージョンｊを表す情報項目とにより特定される少なくとも１つチャンクを受信するための要求を送信する手段であって、前記時間間隔ｔｉ’の終了前にダウンロードされるチャンクの時間位置ｉを表す前記情報項目は、前記コンテンツの合計ダウンロード期間が前記コンテンツの最大ダウンロード期間未満であるように決定され、バージョンｊを表す前記情報項目は、決定された時間位置ｉを表す情報項目と前記バージョンｊを表す情報項目とにより特定されるチャンクが、前記時間間隔ｔｉ’の終了前にダウンロードされるように決定される、手段と、
ｂ）特定された前記チャンクを受信する手段と、
を備える、前記受信装置。